(57)【要約】【課題】従来のＬＥＤ照明はＡＣ電源での１系統供給を行っているので、電源の故障により照明が消灯した場合、修理・交換を行うまで点灯できない。複数系統の電源供給により電源故障時にも連続点灯できるようにした場合、定期点検によって修理・交換を行う必要があるので効率が悪い。従来の看板灯内のＬＥＤ照明の電源が故障した場合、高所作業と看板分解を行う必要があるため、コストと時間がかかる。【解決手段】交流カットオフスイッチと、前記交流カットオフスイッチに接続した直流電源と、前記直流電源の＋側出力にアノードを接続したダイオードと、前記直流電源の＋側出力と前記ダイオードのアノードに＋側制御入力を接続したリレーと、前記リレーの故障通知接点出力からなる直流電源回路ユニットと、少なくとも２つの前記直流電源回路ユニットを各直流電源回路ユニット内部のダイオードのカソード側で接続した看板灯用不灯防止バックアップ電源システム。【選択図】図１
2014155230.tif 000002
【特許請求の範囲】
【請求項１】
交流カットオフスイッチと、前記交流カットオフスイッチに接続した直流電源と、前記直流電源の＋側出力にアノードを接続したダイオードと、前記直流電源の＋側出力と前記ダイオードのアノードに＋側制御入力を接続したリレーと、前記リレーの故障通知接点出力からなる直流電源回路ユニットと、少なくとも２つの前記直流電源回路ユニットを各直流電源回路ユニット内部のダイオードのカソード側で接続した看板灯用不灯防止バックアップ電源システム。
【請求項２】
前記直流電源回路ユニットをＬＥＤ照明と独立して設置する請求項１記載の看板灯用不灯防止バックアップ電源システム。
【発明の詳細な説明】
【技術分野】
【０００１】
本発明は、看板灯に於ける電源故障時に、連続点灯状態を維持しながら故障を外部に通知し、故障した電源の修理・交換を可能とするシステムに関する。
【背景技術】
【０００２】
従来の看板灯内のＬＥＤ照明はＡＣ電圧での１系統での供給を行い、電源ユニットは看板の内部に存在している。（例えば、特許文献１参照）
【先行技術文献】
【特許文献】
【０００３】
【特許文献１】特開２００１−１５３８０８号公報（段落００１３）
【発明の概要】
【発明が解決しようとする課題】
【０００４】
従来のＬＥＤ照明はＡＣ電源での１系統供給を行っているので、電源の故障により照明が消灯した場合、修理・交換を行うまで点灯できない。
【０００５】
複数系統の電源供給により電源故障時にも連続点灯できるようにした場合、消灯による電源故障が判断できないため、定期点検によって修理・交換を行う必要があるので効率が悪い。
【０００６】
従来の看板灯内のＬＥＤ照明の電源が故障した場合、電源の修理・交換をするには高所作業と看板分解を行う必要があるため、コストと時間がかかる。
【０００７】
本発明はこのような問題を解決しようとするもので、一台の電源故障によっての照明不灯状態を防ぎながら、電源の定期点検の非効率を改善し、故障した電源の修理・交換にかかるコストと時間を軽減することを目的とするものである。
【課題を解決するための手段】
【０００８】
本発明は交流カットオフスイッチと、前記交流カットオフスイッチに接続した直流電源と、前記直流電源の＋側出力にアノードを接続したダイオードと、前記直流電源の＋側出力と前記ダイオードのアノードに＋側制御入力を接続したリレーと、前記リレーの故障通知接点出力からなる直流電源回路ユニットと、少なくとも２つの前記直流電源回路ユニットを各直流電源回路ユニット内部のダイオードのカソード側で接続した看板灯用不灯防止バックアップ電源システムである。また、前記直流電源回路ユニットをＬＥＤ照明と独立して設置する看板灯用不灯防止バックアップ電源システムである。
【発明の効果】
【０００９】
本発明は、直流電源を複数並列接続してＤＣ電圧を看板灯内のＬＥＤ照明に供給することで、１つの電源が故障してもＬＥＤ照明は連続点灯することができ、連続点灯したまま修理・交換を進めることを可能とする。
【００１０】
本発明は、前記連続点灯機能により照明の消灯による電源故障の検知ができなくなるため、各並列電源毎に故障検知のための接点出力を設ける。このように故障を看板外部に通知することにより定期点検・交換の頻度を軽減し、効率化及びコストの削減を図る。
【００１１】
本発明は、電源を看板と分離して外部設置することにより、他の電源から電力を供給したまま看板を外さずに故障した電源を交換することを可能とする。これによって高所作業と看板分解を不要とし、修理・交換にかかるコストと時間を軽減する。
【図面の簡単な説明】
【００１２】
【図１】本発明の、看板灯用連続点灯バックアップ電源システム全体の回路図である。
【発明を実施するための形態】
【００１３】
本システムの２重構成の場合の構成図を図１に示す。直流電源回路ユニットＰＵ１と直流電源回路ＰＵ２は、全く同じ内部構成を持つ。商用電源から、接続点Ｊ１・接続点Ｊ２で分岐して直流電源回路ユニットＰＵ１への入力ＰＵ１ＩＮ１・ＰＵ１ＩＮ２と直流電源回路ユニットＰＵ２への入力ＰＵ２ＩＮ１・ＰＵ２ＩＮ２とする。
【００１４】
直流電源回路ユニットＰＵ１について記述する。ＰＵ１ＩＮ１・ＰＵ１ＩＮ２の入力を、電源交換時の感電防止用の交流カットオフスイッチＳＷを通し、交流カットオフスイッチ出力ＡＣＬ・ＡＣＮとする。交流カットオフスイッチ出力ＡＣＬ・ＡＣＮを直流電源ＰＳの交流入力とし、直流電源ＰＳからの＋直流出力ＤＣ＋及び直流電源ＰＳからの−直流出力ＤＣ−を出力する。直流出力ＤＣ＋とリレーＣＲの＋側制御入力１とダイオードＤ１のアノードＡ１を、接続点Ｊ３で接続する。リレーＣＲの故障通知接点３・４・５を電源故障通知用として出力する。ダイオードＤ１のカソードＫ１を直流電源回路ＰＵ１の電源出力とする。直流電源ＰＳのＤＣ−とリレーＣＲの−側制御入力２は、ＬＥＤ照明Ｌの−入力と接続し、グランドに接地する。リレーは機械接点式、半導体のものを含む。
【００１５】
直流電源回路ユニットＰＵ１のダイオードＤ１のカソードＫ１と直流電源回路ユニットＰＵ２のダイオードＤ２のカソードＫ２を接続点Ｊ４で接続し、ＬＥＤ照明Ｌの＋電源入力とする。
【００１６】
次に動作について説明する。１つの直流電源回路ユニットＰＵ１の中の直流電源ＰＳが故障した場合、並列接続された他の直流電源回路ユニットＰＵ２が正常に動作していれば、ＬＥＤ照明Ｌには電源電流が供給されるため、不灯になることはない。この時、故障した直流電源回路ユニットＰＵ１中の直流電源ＰＳは、交流カットオフスイッチＳＷを切断することで、安全に交換することができる。交換中もＬＥＤ照明Ｌへの電源供給を止める必要はない。
【００１７】
１つの直流電源回路ユニットＰＵ１の中の直流電源ＰＳが故障し、並列接続された他の直流電源回路ユニットＰＵ２が正常に動作している場合、ＬＥＤ照明Ｌには電源電流が供給されるが、ダイオードＤ１の働きによりリレーＣＲの＋側コントロール入力１にはダイオードＤ１のカソードＫ１からダイオードＤ１のアノードＡ１への電流の流入はないため、直流電源ＰＳ正常動作時に閉であった接点３−４間は開となり、開であった接点４−５間は閉となる。このように外部に直流電源回路ユニットＰＵ１の中の直流電源ＰＳの故障を外部に通知することによって、最適な時期に不良電源を修理・交換することが可能となるため、冗長な定期点検・良好な電源の事前交換を軽減し、効率化及びコストの削減を図ることができる。
【００１８】
本システムはＬＥＤ照明と独立して設置することができるため、ＬＥＤ照明を内蔵した看板が高所にある場合であっても、故障電源の修理・交換に際して高所作業及び看板を外す必要が無くなり、かかるコストと時間を軽減することができる。
【産業上の利用可能性】
【００１９】
本発明は、看板灯内ＬＥＤ照明用としてだけでなく、連続稼働を必要とする直流電源使用のシステムに応用可能である。
【符号の説明】
【００２０】
ＰＳ・・・直流電源
Ｄ１・・・ダイオード
Ｄ２・・・ダイオード
ＣＲ・・・リレー
ＰＵ１・・・直流電源回路ユニット
ＰＵ２・・・直流電源回路ユニット
Ｌ・・・ＬＥＤ照明
Ｊ１・・・接続点
Ｊ２・・・接続点
Ｊ３・・・接続点
Ｊ４・・・接続点
ＰＵ１ＩＮ１・・・ＰＵ１への入力
ＰＵ１ＩＮ２・・・ＰＵ１への入力
ＰＵ２ＩＮ１・・・ＰＵ２への入力
ＰＵ２ＩＮ２・・・ＰＵ２への入力
ＳＷ・・・交流カットオフスイッチ
ＡＣＬ・・・交流カットオフスイッチ出力
ＡＣＮ・・・交流カットオフスイッチ出力
ＤＣ＋・・・直流電源ＰＳからの＋直流出力
ＤＣ−・・・直流電源ＰＳからの−直流出力
１・・・リレーＣＲの＋側制御入力
２・・・リレーＣＲの−側制御入力
３・・・リレーＣＲの故障通知接点
４・・・リレーＣＲの故障通知接点
５・・・リレーＣＲの故障通知接点
Ａ１・・・ダイオードＤ１のアノード
Ｋ１・・・ダイオードＤ１のカソード
Ｋ２・・・ダイオードＤ２のカソード
【図１】
2014155230.tif 000003